(57)【要約】【課題】  事前に潜像等の情報を知らなくても、簡単な作業により真贋の判断を行うことが可能な偽造防止媒体を提供することを課題とする。【解決手段】  角度を変化させることにより表現される像の色が変化するように所定のパターンが形成された変化像形成部２０と、可視光下において視認不能な状態であって所定の作用を起こすことにより所定の像が視認可能な状態となるパターンを形成した潜像形成部３０を有し、変化像形成部２０に形成されたパターンにより表現される像の色のうちの一つ（ｂ）が、潜像形成部３０に形成されたパターンにより表現される像の色（ｃ）と同一であることを特徴とする。【選択図】  図４
2016087909.tif 000002
【特許請求の範囲】
【請求項１】
観察する角度を変化させることにより表現される像の色が変化するように所定のパターンが形成された変化像形成部と、
可視光下において視認不能な状態であって所定の作用を起こすことにより所定の像が視認可能な状態となるパターンを形成した潜像形成部を有し、
前記変化像形成部に形成されたパターンにより表現される像の色のうちの一つと、前記潜像形成部に形成されたパターンにより表現される像の色が同一であることを特徴とする偽造防止媒体。
【請求項２】
前記変化像形成部に形成されたパターンは、正面から傾けて観察した際に当該パターンにより表現される像の色と、前記潜像形成部に形成されたパターンにより表現される像の色が同一であるように形成されていることを特徴とする請求項１に記載の偽造防止媒体。
【発明の詳細な説明】
【技術分野】
【０００１】
本発明は、観察する状況により可視情報が変化する技術を用いた偽造防止技術に関する。
【背景技術】
【０００２】
従来、有価証券、パスポート、ＩＤ証など、高いセキュリティー性が必要とされるセキュリティー製品が利用されている。このようなセキュリティー製品において偽造が発生すると、製品全般、ひいては各企業・団体に対する消費者の信頼を失う恐れがあるため、様々な偽造防止技術が施されている。
【０００３】
様々な偽造防止技術の中でも、普段は情報が隠れているため目視確認できないが、紫外線や赤外線を照射することにより潜像が確認できる技術が広く使用されている（特許文献１参照）。このように、そのままでは視認不能であって、何らかの作用を与えることにより視認可能となる技術は、コバート技術とも呼ばれている。
【先行技術文献】
【特許文献】
【０００４】
【特許文献１】特許第３５４４５３６号公報
【発明の概要】
【発明が解決しようとする課題】
【０００５】
上記のようなコバート技術を用いた場合、潜像の絵柄や文字などの情報は、事前に真贋判定を行う者に周知しておく必要がある。しかし、情報が正確に伝わっていない場合、正しいものが贋、誤ったものが真と判断されてしまう可能性がある。例えば、ブラックライトを照射すると緑色で発光する無色蛍光インキで印刷されていた印刷物が、ブラックライトを照射すると赤色で発光する無色蛍光インキに改定されていた場合、改定したという情報が正しく伝わっていないと、どの色が真であるかわからなくなってしまう。
【０００６】
そこで、本発明は、事前に潜像等の情報を知らなくても、簡単な作業により真贋の判断を行うことが可能な偽造防止媒体を提供することを課題とする。
【課題を解決するための手段】
【０００７】
上記課題を解決するため、本発明第１の態様では、
観察する角度を変化させることにより像の色が変化するように所定のパターンが形成された変化像形成部と、
可視光下において視認不能な状態であって所定の作用を起こすことにより所定の像が視認可能な状態となるパターンを形成した潜像形成部を有し、
前記変化像形成部に形成されたパターンにより表現される像の色のうちの一つと、前記潜像形成部に形成されたパターンにより表現される像の色が同一であることを特徴とする偽造防止媒体を提供する。
【０００８】
本発明第１の態様によれば、角度を変化させることにより像の色が変化するように所定のパターンが形成された変化像形成部と、可視光下において視認不能な状態であって所定の作用を起こすことにより所定の像が視認可能な状態となるパターンを形成した潜像形成部を有し、変化像形成部に形成されたパターンにより表現される像の色のうちの一つが、潜像形成部に形成されたパターンにより表現される像の色と同一であるので、潜像として形成された像の色を簡易な作業により認識し、それと同じ色が変化像の色の一つと同一であることを確認することにより、真贋の判断を行うことが可能となる。すなわち、真贋を判断する者が事前に像の色の情報を知らなくても、簡単な確認作業により像の色を知ることができ、真贋の判断が可能となる。
【０００９】
また、本発明第２の態様では、前記変化像形成部に形成されたパターンは、正面から傾けて観察した際に当該パターンにより表現される像の色と、前記潜像形成部に形成されたパターンにより表現される像の色が同一であるように形成されていることを特徴とする。
【００１０】
本発明第２の態様によれば、変化像形成部に形成されたパターンは、正面から傾けて観察した際に当該パターンにより表現される像の色と、潜像形成部に形成されたパターンにより表現される像の色が同一であるように形成されているので、潜像形成部に形成されたパターンにより表現される像の色と同一の色の像を正面から視認できず、傾けたときのみ視認することが可能となる。
【発明の効果】
【００１１】
本発明によれば、事前に潜像等の情報を知らなくても、簡単な作業により偽造防止媒体の真贋の判断を行うことが可能となる。
【図面の簡単な説明】
【００１２】
【図１】本発明の一実施形態に係る偽造防止媒体の構成を示す図である。
【図２】変化像形成部２０において視認されるパターンと方向の関係を示す図である。
【図３】本発明の一実施形態に係る偽造防止媒体の製造工程を示すフローチャートである。
【図４】本発明の一実施形態に係る偽造防止媒体の利用時の状態を示す図である。
【発明を実施するための形態】
【００１３】
以下、本発明の好適な実施形態について、図面を参照して詳細に説明する。
＜１．偽造防止媒体の構成＞
図１は、本発明の一実施形態に係る偽造防止媒体を示す平面図である。図１において、１０は基材、２０は変化像形成部、３０は潜像形成部である。変化像形成部２０、潜像形成部３０は、それぞれ基材１０の表面に所定の手法により形成することができる。
【００１４】
変化像形成部２０は、パターンにより表現される像の色が切り替わる変化像を記録したものである。ここで、パターンとは、図案、模様、絵柄、形状等、目視により認識可能な色以外の表現を意味する。本実施形態では、見る角度に応じてパターンにより表現される像の色が第１の色、第２の色に切り替わる。変化像形成部２０の形成には、パターンにより表現される像の色を切り替えるための様々な技術を用いることができる。変化像形成部２０には、人間の五感（特に視覚）により情報を認識可能な情報を形成するオバート技術が用いられる。変化像形成部２０に形成されたパターンは全て、傾けるという行為だけで像の色の変化を視認することができる。
【００１５】
まず、変化像形成部２０に形成する第１のパターンと、潜像形成部３０に形成する第２のパターンをそれぞれ決定する。変化像形成部２０の第１のパターンは、その像が２色に変化するものとし、潜像形成部３０に形成する第２のパターンが表現する色を所定の色に決定する。変化像形成部２０の第１のパターンが表現する２色のうち１色は、潜像形成部３０の第２のパターンが表現する色と同一にする。また、変化像形成部２０のパターンが表現する２色のうち他の１色は、潜像形成部３０のパターンが表現する色と異なるものにする。この際、色の違いが明確に認識できるように、明確に異なる色を採用するのが好ましい。変化像形成部２０のパターンが表現する２色のうち、正面から見た場合に認識できる像の色を第１の色、正面から見た場合に認識できず、傾けたときに認識できる像の色を第２の色とする。
【００１６】
図１においては省略しているが、基材１０上の変化像形成部２０、潜像形成部３０以外の部分には、文字や絵柄等が通常のインキで印刷されることにより、可視光下で目視可能な状態で形成されている。
【００１７】
潜像形成部３０に対しては、可視光下で視認不能であって、紫外線を照射することにより可視光を発光する蛍光印刷を、基材１０上に施すことにより実現される。すなわち、図１（ｄ）に示した第２のパターン（図１（ｄ）の例では、笑顔を模した図柄の形態）を紫外線発光インキにより印刷して形成する。紫外線発光インキとは、紫外線を照射することにより可視光を発光するインキであり、蛍光インキとも呼ばれる。
【００１８】
紫外線発光インキに含まれる蛍光色素としては、顔料、染料のどちらを用いてもよい。顔料の場合、有機系、無機系のどちらも用いることができる。耐候性の観点からは、無機系蛍光顔料を用いることが好ましい。無機系蛍光顔料としては、例えば、以下の蛍光顔料Ａ〜Ｇを用いることができる。
【００１９】
蛍光顔料Ａ：ユーロピウム、マンガン付活アルミン酸バリウムマグネシウム（含有元素 Ｂａ、Ｍｇ、Ａｌ、Ｏ、Ｅｕ、Ｍｎ）
蛍光顔料Ｂ：マンガンで付活されたケイ酸亜鉛（化学式 Ｚｎ2ＳｉＯ4：Ｍｎ）
蛍光顔料Ｃ：ユーロピウム付活酸化イットリウム（化学式 Ｙ2Ｏ3：Ｅｕ）
蛍光顔料Ｄ：ユーロピウム付活硫化イットリウム（化学式 Ｙ2Ｏ2Ｓ：Ｅｕ）
蛍光顔料Ｅ：酸化亜鉛（化学式 ＺｎＯ(1-x)）
蛍光顔料Ｆ：マンガンで付活されたゲルマニウム酸亜鉛（化学式 Ｚｎ2ＧｅＯ4：Ｍｎ）
蛍光顔料Ｇ：ユーロピウム付活リンバナジン酸イットリウム（含有元素 Ｅｕ、Ｏ、Ｐ、Ｖ、Ｙ）
【００２０】
染料としては、フルオレセイン系蛍光色素、クマリン系蛍光色素、ローダミン蛍光色素等、様々な蛍光色素を用いることができる。
【００２１】
次に、変化像形成部２０におけるパターンの形成について説明する。変化像形成部２０には、図１（ｂ）（ｃ）にそれぞれ示す第１の色、第２の色を表現する第１のパターンが形成されている。本実施形態では、第１のパターンは、図１（ｂ）（ｃ）に示すように、ハートを模した図柄の形態をしている。
【００２２】
また、本実施形態では、第２のパターンは、図１（ｄ）に示すように、笑顔を模した図柄の形態をしている。本実施形態では、図１（ｃ）に示した第１のパターンが表現する像の第２の色と図１（ｄ）に示した第２のパターンが表現する像の色が同一になるように形成される。
【００２３】
ここで、「色が同一」すなわち「同一色」とは、可視光を所定数の色に分けた場合に、分けた内の同一範囲に含まれることを意味する。例えば、可視光を６色に分けた場合に、６色のうちの同一色であることを示す。可視光の波長はおおよそ３８０ｎｍ〜７５０ｎｍであるので、３８０ｎｍ〜４５０ｎｍを紫、４５０ｎｍ〜４９０ｎｍを青、４９５ｎｍ〜５７０ｎｍを緑、５７０ｎｍ〜５９０ｎｍを黄、５９０ｎｍ〜６２０ｎｍを橙、６２０ｎｍ〜７５０ｎｍを赤として６色に分けると、例えば、両方の像の色がともに６２０ｎｍ〜７５０ｎｍの範囲の光を発していれば、両方とも赤と認識され、「同一色」であると判断される。あくまでも人間が同一であるか否かを判断するためのものであるため、「同一色」の範囲を必要以上に狭く設定する必要はない。
【００２４】
また、「同一色」の範囲としては、上記の波長範囲よりもさらに狭くして、多くの人が「同一」と感じられる波長範囲を設定してもよいし、波長範囲をより広く「同系色」と考えられる範囲まで設定してもよい。要するに、観察者が見た場合に、他の色と比較して、変化像形成部２０において表現される第２の色と、潜像形成部３０において表現される色が近いと認識できる程度であればよい。もちろん、「同一色」の波長範囲を狭く設定する程、観察者は同一であることを判断し易くなる。
【００２５】
変化像形成部２０におけるパターンの形成は、表現する像の色を変化させることを可能とする様々な技術を用いることができる。本実施形態では、観察する角度に応じて色が変化するＯＶＩ（Ｏｐｔｉｃａｌｌｙ  Ｖａｒｉａｂｌｅ  Ｉｎｋ）と呼ばれる色彩可変インキを用いて印刷を行うことにより形成される。
【００２６】
図２を参照して変化像形成部２０において、複数の色を切り替えて像を観察する方法について説明する。図２は、変化像形成部２０を有する偽造防止媒体１が水平な位置に置かれた状態で、観察者が矢印Ｋ（Ｋ１，Ｋ２）の方角から変化像形成部２０を観察した場合にどのように視認されるかを図示している。
【００２７】
偽造防止媒体１の正面（真上）方向Ｋ１から、変化像形成部２０を観察すると、図１（ｂ）に示した第１の色で表現された像のみが鮮明に観察される。次に変化像形成部２０を正面から所定角度傾けた斜め方向Ｋ２から観察した場合は、図１（ｃ）に示した第２の色で表現された像のみが鮮明に観察される。
【００２８】
本実施形態では、偽造防止媒体１を傾けたときに変化像形成部２０に表れる像の色と、紫外線を照射したときに潜像形成部３０に表れる像の色が同一であるようにする。例えば、表れる像の色がともに緑色で同一となるようにする場合、変化像形成部２０においては、第１のパターンを、色彩可変インキ（ＯＶＩ）であるＳＩＣＰＡ社製「ＳＩＣＰＡ ＳＴＡＲ ＰＩＮＫ ｔｏ ｇｒｅｅｎ」を用いて印刷することにより形成する。また、潜像形成部３０においては、第２のパターンを、紫外線発光インキであるＤＩＣグラフィックス社製「無色 蛍光グリーン３０」を用いて印刷することにより形成する。上述の色彩可変インキ「ＳＩＣＰＡ ＳＴＡＲ ＰＩＮＫ ｔｏ ｇｒｅｅｎ」は、正面から見た場合にピンク色で傾けた場合に緑色になるように変化するインキである。上述の紫外線発光インキ「無色 蛍光グリーン３０」は、可視光下で無色であり、紫外線を照射した場合に緑色に発光するインキである。
【００２９】
＜２．偽造防止媒体の製造＞
次に、図１に示した偽造防止媒体の製造方法について説明する。図３は、本発明の一実施形態に係る偽造防止媒体の製造工程を示すフローチャートである。まず、図１（ｂ）（ｃ）に示したような第１のパターンの画像データを準備する（ステップＳ１０）。第１のパターンの画像データの準備ができたら、変化像形成部２０用の第１のパターンの製版を行う（ステップＳ２０）。具体的には、第１のパターンの画像データを基に、変化像を生成する第１のパターンを形成するための刷版を作製する。
【００３０】
より詳細には、まず、第１のパターンの画像データを基に、版下から製版用原版を作製する。そして、作製された製版用原版によって基材１０の大きさに応じて露光を行い、印刷用の版である刷版を作製する。
【００３１】
ステップＳ２０において第１のパターン用製版が行われ、第１のパターン用の刷版が得られたら、第１のパターンの形成を行う（ステップＳ３０）。具体的には、基材１０上の変化像形成部２０形成位置に、第１のパターンを印刷することになる。ここでは、上述の色彩可変インキ「ＳＩＣＰＡ ＳＴＡＲ ＰＩＮＫ ｔｏ ｇｒｅｅｎ」を用いて印刷する。
【００３２】
また、図１（ｄ）に示したような第２のパターンの画像データを準備する（ステップＳ４０）。第２のパターンの画像データの準備ができたら、第２のパターンの画像データを用いて、潜像形成部３０の潜像形成用の製版を行う（ステップＳ５０）。具体的には、第２のパターンの画像データを基に、潜像形成部３０を形成するための刷版を作製する。潜像形成部３０を紫外線により発光する蛍光インキ（紫外線発光インキ）でオフセット印刷することにより形成する場合は、オフセット印刷用の刷版を作製することになる。
【００３３】
ステップＳ５０において潜像用製版が行われ、第２のパターン用の版が得られたら、潜像パターンの形成を行う（ステップＳ６０）。紫外線による発光をさせる場合には、紫外線発光インキで基材１０上の所定の位置にオフセット印刷を行い、潜像形成部３０を形成することになる。
【００３４】
図３の例では、変化像形成部２０への第１のパターンを形成するためのステップＳ１０〜Ｓ３０の工程を、潜像形成部３０への第２のパターンを形成するためのステップＳ４０〜Ｓ６０の工程より先に行うようにしたが、潜像形成部３０への第２のパターンを形成するためのステップＳ４０〜Ｓ６０の工程を、変化像形成部２０への第１のパターンを形成するためのステップＳ１０〜Ｓ３０の工程より先に行うようにしてもよい。また、ステップＳ１０〜Ｓ３０の順序、ステップＳ４０〜Ｓ６０の順序がそれぞれ守られていれば、変化像形成部２０への第１のパターンを形成するための工程と、潜像形成部３０への第２のパターンを形成するためのステップＳ４０〜Ｓ６０の工程は、交互にまたは並行しておこなってもよい。
【００３５】
本実施形態に係る偽造防止媒体は、様々な製造方法により製造することができる。図３に示した製造方法は、オフセット印刷、グラビア印刷、凹版印刷、フレキソ印刷、活版印刷などの版を使用する印刷方式により変化像形成部２０および潜像形成部３０を形成する場合のものである。本発明に係る偽造防止媒体の製造においては、図３に示した製造方法に限定されることなく、インクジェットプリンターやトナープリンターなどを用いて、版を使用しない印刷方式により変化像形成部２０、潜像形成部３０を形成することも可能である。版を使用しない印刷方式により変化像形成部２０、潜像形成部３０を形成する場合、図３に示したステップＳ２０、Ｓ５０の製版工程は必要なく、ステップＳ１０、Ｓ４０で準備した画像データをプリンターが直接読み込んで印刷することにより形成する。変化像形成部２０と潜像形成部３０の両方を、版を使用する印刷方式、版を使用しない印刷方式のいずれかで形成するだけでなく、変化像形成部２０、潜像形成部３０のいずれか一方を、版を使用する印刷方式で形成し、他方を、版を使用しない印刷方式で形成するようにしてもよい。
【００３６】
＜３．偽造防止媒体の利用＞
上記のようにして製造された偽造防止媒体の真贋判定方法について説明する。図４は、偽造防止媒体１の利用時の状態を示す図である。通常の可視光下では、図４（ａ）、（ｂ）に示すように、潜像形成部３０には、第２のパターンの像が表れない。図４（ａ）、（ｂ）においては、潜像形成部３０の位置を破線の円形で示している。
【００３７】
通常の可視光（通常光）下で、偽造防止媒体１を正面から見た場合、図４（ａ）に示すように、変化像形成部２０においては、ハートを模した第１のパターンの像が第１の色で視認される。例えば、第１の色として緑色（例えば４９５ｎｍ〜５７０ｎｍ）が用いられる。通常の可視光下で、偽造防止媒体１を少し傾けて観察した場合、図４（ｂ）に示すように、変化像形成部２０においては、ハートを模した第１のパターンの像が第２の色で視認される。例えば、第２の色として赤色（例えば６２０ｎｍ〜７５０ｎｍ）が用いられる。
【００３８】
この時点では、偽造防止媒体１が真正なものか偽物であるか判断できない。ここで、紫外線を偽造防止媒体１に照射することにより、潜像形成部３０を発光させる。これにより、図４（ｃ）に示すように、潜像形成部３０においては、笑顔を模した第２のパターンの像が所定の色で視認される。例えば、表現される像の色として赤色（例えば６２０ｎｍ〜７５０ｎｍ）が用いられる。これにより利用者は、赤色が真正性を証明するための色であることを認識する。そして、図４（ｂ）に示したように、同一の色である赤色の像が変化像形成部２０にも表れていたことにより、偽造防止媒体１が真正なものであると判断することができる。
【００３９】
本発明に係る偽造防止媒体としては、紙幣、身分証、パスポート、金券、商品券、回数券、入場券、チケット、クーポン券、シール、ラベル、パッケージ、タグ等様々なものに適用することができる。
【００４０】
偽造防止媒体の基材としては、紙、合成樹脂、金属等、複数のパターンを形成可能なものであれば、様々なものを用いることができる。
【００４１】
以上、本発明の好適な実施形態について説明したが、本発明は上記実施形態に限定されず、種々の変形が可能である。例えば、上記実施形態では、変化像形成部２０に形成するパターンとしてハートを模した図柄の形態や笑顔を模した図柄の形態を用いたが、同一であるか否かを判断することができる形態であれば、どのような形態であってもよい。
【００４２】
また、上記実施形態では、変化像形成部２０に形成するパターンと潜像形成部３０に形成するパターンを異なる形態のパターンとしたが、同一形態のパターンであってもよい。例えば、図１、図４に示した例において、両方ともハートを模した図柄の形態としてもよい。
【００４３】
また、上記実施形態では、「同一色」として、可視光を６色に分けた場合に、６色のうちの「同一色」である場合を示したが、人間が「同一色」と認識できる範囲であれば、様々な態様で「同一色」を設定することができる。例えば、可視光を６色（紫、青、緑、黄、橙、赤）に分ける場合であっても、上記実施形態において説明した波長範囲に限定されず、柔軟にその範囲を変更することが可能である。
【００４４】
また、上記実施形態では、変化像形成部２０を実現するオバート技術として、観察する角度に応じて色が変化する色彩可変インキによる印刷を用いたが、色を変化させることができれば、公知の様々な技術を用いることができる。
【００４５】
また、上記実施形態では、潜像形成部３０を実現するコバート技術として、紫外線発光インキによる蛍光印刷を用いたが、これに限定されず、所定の色を表現することができれば、赤外線発光インキによる蛍光印刷等、公知の様々なコバート技術を用いることができる。
【符号の説明】
【００４６】
１・・・偽造防止媒体
１０・・・基材
２０・・・変化像形成部
３０・・・潜像形成部
【図３】
2016087909.tif 000003
【図１】
2016087909.tif 000004
【図２】
2016087909.tif 000005
【図４】
2016087909.tif 000006